(57)【要約】【課題】ふとんを丸めて収納できる直方体の収納バッグを提供することである。【解決手段】直方形状の箱形バッグ１の一方の側板２２と蓋板１２が連続して開放可能になっており、かつスライドファスナ５１ａ、５１ｂの係合によって閉鎖できるようになっている。バッグ１の底板１１には、丸めたふとんを整形して拘束するために用いる一対の拘束帯４１、４２が取り付けられている。これらの拘束帯４１、４２の一端は、底板１１の端縁１１ａ、１１ｂにそれぞれ固着され、他端は自由端になっており、他端部に係合具が設けられ、長さ調節可能に接続できるようになっている。【選択図】図２
0003205600.tif 000002
【実用新案登録請求の範囲】
【請求項１】
対向する一対の端板と、対向する一対の側板と、対向する底板及び蓋板を備えた直方体箱形のバッグであって、一方の側板の両端縁及び蓋板が、この一方の側板に底板及び蓋板が連結した状態で分離可能または接続可能にするスライドファスナが取り付けられ、前記底板の両端縁に一端が固着され、他端が自由端になった一対の拘束帯が底板の長さ方向に取り付けられ、これらの自由端に設けられた係合具によって前記拘束帯が長さ調節可能に接続され、前記底板の上に置かれたふとんを両拘束帯によって包囲し整形して拘束できるようにしたふとん収納バッグ。
【請求項２】
前記拘束帯の幅が２０ｃｍ〜４０ｃｍであり、前記係合具が拘束帯の先端部両側縁近辺に取り付けられた請求項１に記載のふとん収納バッグ。
【請求項３】
前記係合具が面ファスナ、スナップボタン、フック・アイのいずれかである請求項１または２に記載のふとん収納バッグ。
【考案の詳細な説明】
【技術分野】
【０００１】
この考案は、ふとんを丸めて簡単に収納することができ、スペースも取らないバッグに関する。
【背景技術】
【０００２】
ふとんを丸めて簡単に収納することができるようにしたバッグは、例えば特許文献１に開示されている。このバッグは、ふとんを丸めながら手早く収納できるので極めて便利であるが、全体形状が円筒形であって、押入れなどに複数個並べるのはスペースの点で無駄があり、特に積み重ねることができない問題がある。
【０００３】
他方、特許文献２及び３には、角箱状または直方体のふとん収納袋が開示されているが、全てふとんを折り畳んで収納するようになっている。しかしながら、ふとんを片付ける際に、ふとんを折り畳むよりも、丸める方が手早く片付けることができ、収納作業が楽である。
【先行技術文献】
【特許文献】
【０００４】
【特許文献１】実用新案登録第３１９３９７８号公報
【特許文献２】実開昭５６−１３５４８４号公報
【特許文献３】実開昭５９−９９９８１号公報
【考案の概要】
【考案が解決しようとする課題】
【０００５】
そこで、この考案の課題は、直方体の収納バッグでふとんを丸めて収納できるようにすることである。
【課題を解決するための手段】
【０００６】
上記の課題を解決するために、この考案は、対向する一対の端板と、対向する一対の側板と、対向する底板及び蓋板を備えた直方体箱形のふとん収納バッグにおいて、一方の側板の両端縁及び蓋板が、この一方の側板に底板及び蓋板が連結した状態で分離可能または接続可能にするスライドファスナが取り付けられ、前記底板の両端縁に一端が固着され、他端が自由端になった一対の拘束帯が底板の長さ方向に取り付けられ、これらの自由端に設けられた係合具によって前記拘束帯が長さ調節可能に接続され、前記底板の上に置かれたふとんを両拘束帯によって包囲し整形して拘束できるようにしたのである。
【０００７】
前記拘束帯は幅２０〜４０ｃｍの広幅で、前記係合具は拘束帯の先端部両側縁近辺に取り付けるのが好ましい。前記係合具は、面ファスナ、スナップボタン、フック・アイ等を用いることができる。
【考案の効果】
【０００８】
この考案によれば、上記のように、拘束帯によって底板の上でふとんを整形してその状態を保持できるようにしたので、丸めたふとんでも箱形のバッグに収納することができ、保管スペースをとらず、積み重ねて保管できる利点がある。
【図面の簡単な説明】
【０００９】
【図１】ふとん収納バッグの斜視図、
【図２】ふとん収納バッグを開いた状態を示す斜視図、
【図３】ふとん収納バッグ内に設けられた拘束帯を示す平面図、
【図４】ふとんをバッグに収納する手順を示す斜視図、
【図５】ふとんをバッグに収納した状態を示す横断面図である。
【考案を実施するための形態】
【００１０】
以下、この考案の実施形態を添付図面に基づいて説明する。図１及び図２に示すように、この考案のバッグ１は、それぞれ対向するように設けられた長方形状底板１１と蓋板１２、側板２１と２２、端板３１と３２によって直方体箱形を形成し、前記底板１１の長さ方向に、一対の拘束帯４１、４２を設けたものである。
【００１１】
前記端板３１と３２の下縁は、底板１１の両端縁１１ａ、１１ｂと折り目を介してそれぞれ接続され、端板３１と３２の一方の端縁は、一方の側板２１の端縁２１ａ、２１ｂと折り目を介して接続され、この側板２１の下側縁２１ｃは、底板１１の一側縁と折り目を介して接続されている。他方の側板２２の下側縁２２ｃは、折り目を介して底板１１と連続し、この側板２２の上側縁２２ｄは折り目を介して蓋板１２と連続している。これに対し、他方の側板２２は、その両端縁２２ａ、２２ｂが両端板３１と３２の端縁３１ａ及び３２ａと分離している。
【００１２】
上記のような構造のバッグ１の側端縁に沿って、スライドファスナ５１が取り付けられている。まずスライドファスナ５１の雄部材５１ａが、他方の側板２２の端縁２２ａの下端を始点として、この端縁２２ａに沿い、さらに蓋板１２の一方の端縁１２ａ、側縁１２ｃ、他方の端縁１２ｂから側板２２の他方の端縁２２ｂに沿ってその端縁２２ｂの下端まで延びるように固着されている。なお、始点を側板２２の端縁２２ｂの下端とし、前記端縁２２ａの下端を終点としてもよい。このスライドファスナ５１の雄部材５１ａに対応する雌部材５１ｂが、前記雄部材５１ａの始点と同位置に始まって、一方の端板３１の端縁３１ａから上側縁３１ｂ、一方の側板２１の上側縁２１ｄ、他方の端板３２の上側縁３２ｂ及び端縁３２ａに沿って固着され、端縁３２ａの下端が終点となる。前述と同様に始点と終点は逆になっていてもよい。なお、図２中、符号５１ｃは前記スライドファスナ５１の雄部材５１ａと雌部材５１ｂを係合させるスライダ（図示せず）のタグである。
【００１３】
上記のような経路でスライドファスナ５１が取り付けられているので、タグ５１ｃを操作してスライダを係合すると、図１に示すような直方体のバッグ１が出来上り、スライダの係合を完全に解除すると、図２に示すように、底板１１と他方の側板２２及び蓋板１２が平坦面を形成するように展延することができ、側板２１と両端板３１、３２がコ字形のトレイを形成する。
【００１４】
上記底板１１には、図３に示すように、その長さ方向に、一対の拘束帯４１、４２が取り付けられている。この拘束帯４１、４２は、広幅（幅２０ｃｍ〜４０ｃｍ）の柔軟な帯状材で形成され、それぞれの一端４１ａ、４２ａは、底板１１の両端縁１１ａ、１１ｂにそれぞれ固着され、他の部分は自由になっており、一方の拘束帯４１の先端部内面に２条の面ファスナ４１ｂが固着され、他方の拘束帯４２の先端部外面にも２条の面ファスナ４２ｂが固着され、これらの面ファスナ４１ｂと４２ｂは位置調節可能に係合できるようになっている。面ファスナに代えて、スナップボタンやフック・アイ等の他の係合具を用いることができる。なお、この係合具はできるだけ拘束帯４１、４２の側縁に近づけて取り付けるのが好ましい。
【００１５】
上記のような収納バッグ１にふとんＭを収納する手順の一例を説明する。まず、図２で説明したように、ファスナ５１の係合を解いて、蓋板１２と他方の側板２２及び底板１１を同一平面になるように伸展する。この状態で図４（Ａ）に示すように、ふとんＭを長さ方向に（縦に）二つ折りにし、その先端が一方の側板２１近辺に位置するように、ふとんＭを底板１１、他方の側板２２、蓋板１２の上に載せる。このとき、前記拘束帯４１、４２は、端板３１及び３２の外側へ垂下した状態にしておく。そして、図４（Ｂ）のように、二つ折りにしたふとんＭの外端から丸めて行く。トレイ状になった底板１１の上面まで丸め込むと、図４（Ｃ）に示すように、円筒状に丸めたふとんＭの周囲に拘束帯４１、４２を掛け渡して底板１１との間で包囲し、端面が略長円形になるよう押圧して偏平に整形し、拘束帯４１、４２に設けた面ファスナ４１ｂと４２ｂ（雄部材と雌部材）を係合してその状態を保持する。そこで、ファスナのタグ５１ｃを引張ってスライドファスナ５１を側板２２の端縁から蓋板１２のコ字状外周に沿って係合して行くと、図５に示すようにふとんＭは直方形のバッグ１内に収納される。ふとんＭの収納方法は上記に限らず、二つ折り以上に折り畳んで収納することができる。その際にも、一連に展延した底板１１、側板２２、蓋板１２の上で折り畳み作業を行ない、折り畳んだふとんＭを底板１１の上に移動し、拘束帯４１、４２を用いて、前記と同様にバッグ１の形状に合うように折り畳んだふとんＭを整形しかつ確実に拘束し、スライドファスナ５１によって側板２２及び蓋板１２を係合することにより、バッグ１に収納することができる。なお、前述のように、係合具である面ファスナ４１ｂと４２ｂを拘束帯４１、４２の側縁近辺に設けることによって、整形状態を維持するのに効果的である。
【００１６】
図１及び図２に示すように、前記バッグ１の側板２１、２２または端板３１、３２に、把手６１、６２、６３を設けておくことができる。また、側板２１、２２や端板３１、３２の適当な個所に、透明なフィルムで形成された透視窓２１ｅ、３１ｃを形成しておくことができる。
【００１７】
ふとん収納バッグ１のサイズは、幅が約７０ｃｍ、奥行５０ｃｍ、高さ１２〜５０ｃｍ程度でよいが、その他のサイズでもよいことは勿論である。バッグ１の材料は、柔軟性のある布帛のほか、不織布を重ね合せてキルティングを施した材料など、種々選択可能である。また、防虫剤や消臭剤等をバッグ１の内面に含浸させておくことができる。
【符号の説明】
【００１８】
１  ふとん収納バッグ
１１  底板
１１ａ、１１ｂ  端縁
１２  蓋板
１２ａ、１２ｂ  端縁
１２ｃ  側縁
２１  側板
２１ａ、２１ｂ  端縁
２１ｃ  下側縁
２１ｄ  上側縁
２１ｅ  透視窓
２２  側板
２２ａ、２２ｂ  端縁
２２ｃ  下側縁
２２ｄ  上側縁
３１  端板
３１ａ  端縁
３１ｂ  上側縁
３１ｃ  透視窓
３２  端板
３２ａ  端縁
３２ｂ  上側縁
４１、４２  拘束帯
４１ａ、４２ａ  一端
４１ｂ、４２ｂ  面ファスナ
５１  スライドファスナ
５１ａ  雄部材
５１ｂ  雌部材
６１、６２、６３  把手
Ｍ  ふとん
【図１】
0003205600.tif 000003
【図２】
0003205600.tif 000004
【図３】
0003205600.tif 000005
【図４】
0003205600.tif 000006
【図５】
0003205600.tif 000007